(57)【特許請求の範囲】
【請求項１】
運動活動監視装置によって、前記運動活動監視装置のバッテリから出力された初期電圧値を決定する工程と、
前記運動活動監視装置によって、バッテリ充電状態に入るときからの経過時間量を決定する工程と、
前記運動活動監視装置によって、前記バッテリから出力される電圧値をさらに読取ることなく、前記経過時間量と、前記バッテリから出力される初期電圧値と、ルックアップテーブルとに基づいて、現在のバッテリ充電量を充電量百分率として決定する工程と、を含む方法であって、
前記ルックアップテーブルは、前記バッテリから出力された電圧値を、前記充電量百分率に関連付けると共に、当該電圧値を、前記バッテリの充電量から満充電状態まで前記バッテリを充電するために必要な時間量に関連付け、
前記方法は、
前記バッテリ充電状態から抜け出た際に、前記運動活動監視装置によって前記バッテリの最終的な充電量を決定する工程と、
前記最終的な充電量が前記満充電状態に対応するかどうかを決定する工程と、
前記最終的な充電量が前記満充電状態に対応すると決定した際に、前記バッテリから出力された初期電圧値に対応する初期充電量から前記満充電状態まで前記バッテリを充電するための経過時間量を測定する工程と、
前記測定された時間量によって前記ルックアップテーブルを更新する工程と、
をさらに含む、
方法。
【請求項２】
前記初期充電量から前記満充電状態まで前記バッテリを充電するために必要な予想時間量を決定する工程をさらに含む、請求項１に記載の方法。
【請求項３】
前記運動活動監視装置は充電ユニットを含んでおり、
前記方法は、
前記充電ユニットからバッテリ充電完了の指示を受信し、且つ前記バッテリから出力される初期電圧値に対応する初期充電量から前記満充電状態まで前記バッテリを充電するための予想時間量が経過したことを決定することで、前記バッテリが満充電であると決定する工程をさらに含む、請求項１に記載の方法。
【請求項４】
前記現在のバッテリ充電量を決定する工程は、
前記運動活動監視装置における複数のバッテリ毎の現在のバッテリ充電量を決定する工程を含む、請求項１に記載の方法。
【請求項５】
運動活動監視装置であって、
１以上の活動センサと、
少なくとも１つのバッテリと、
プロセッサと、
コンピュータ可読命令を保存するメモリと、
を備えており、
当該コンピュータ可読命令が実行されたときに前記運動活動監視装置は、
前記少なくとも１つのバッテリから電圧レベルを読取り、
前記読み取られた電圧レベルと、前記読み取られた電圧レベルとこれに対応する充電量との間の関係を保存するルックアップテーブルとに基づいて、少なくとも１個のバッテリの現在の充電量を決定し、
前記充電量が第１の既定の充電しきい値を満たすかどうかを決定し、
前記充電量が前記第１の既定の充電しきい値を満たすと決定したときに、前記運動活動監視装置の第１の活動監視プロセスおよび第１のハードウェア装置のうち少なくとも一方を非アクティブ化し、
前記運動活動監視装置によって実行されるプロセスを決定し、
前記運動活動監視装置により実行されるプロセスによって使用される充電量に対応する規定の充電量を決定し、
前記決定された現在の充電量から減算される前記規定の充電量が第２の規定の充電しきい値を満たすかどうかを決定し、
前記第２の規定の充電しきい値が満たされる決定したときに、前記プロセスをアクティブ化する、運動活動監視装置。
【請求項６】
前記メモリは、コンピュータ可読命令をさらに保存しており、
当該コンピュータ可読命令が実行されたときに、前記運動活動監視装置は、前記プロセスをアクティブ化する際に、前記決定された現在の充電量から前記規定の充電量を減算することで前記バッテリの更新された充電量を決定する、請求項５に記載の運動活動監視装置。
【請求項７】
前記メモリは、コンピュータ可読命令をさらに保存しており、
当該コンピュータ可読命令が実行されたときに、前記運動活動監視装置は、
前記現在の充電量が第３の規定の充電しきい値を満たすかどうかを決定し、
前記充電量が前記第１及び第３の規定の充電しきい値を満たすと決定したときに、
前記運動活動監視装置の前記第１の活動監視プロセスおよび前記第１のハードウェア装置のうち少なくとも一方を非アクティブ化し、
前記運動活動監視装置の第２の活動監視プロセスおよび第２のハードウェア装置のうち少なくとも一方を非アクティブ化する、請求項５に記載の運動活動監視装置。
【請求項８】
前記第１の活動監視プロセスのうち少なくとも一方は、活動測定基準計算プロセスを含む、請求項７に記載の運動活動監視装置。
【請求項９】
前記運動活動監視装置の前記第２のハードウェア装置は、前記１以上の活動センサのうちの少なくとも１つを含む、請求項８に記載の運動活動監視装置。
【請求項１０】
前記運動活動監視装置の前記第２のハードウェア装置は、前記運動活動監視装置の複数ディスプレイのうちの１個以上全部未満をさらに含む、請求項９に記載の運動活動監視装置。
【請求項１１】
無線通信装置をさらに備える、請求項５に記載の運動活動監視装置。
【請求項１２】
充電ユニットをさらに備える、請求項５に記載の運動活動監視装置。
【請求項１３】
複数のバッテリをさらに備える、請求項５に記載の運動活動監視装置。
【請求項１４】
コンピュータ可読命令を保存するコンピュータ可読媒体であって、前記コンピュータ可読命令が実行されたときに運動活動監視装置は、
バッテリ充電状態に入る前又は時点における前記運動活動監視装置のバッテリから出力される初期電圧値を決定し、
前記バッテリ充電状態に入るときからの経過時間量を決定し、
前記バッテリから出力される電圧値をさらに読取ることなく、前記経過時間量と、前記バッテリから出力される初期電圧値と、ルックアップテーブルとに基づいて、現在のバッテリ充電量を充電量百分率として決定し、
前記ルックアップテーブルは、前記バッテリから出力された電圧値を、前記充電量百分率に関連付けると共に、当該電圧値を、前記バッテリの充電量から満充電状態まで前記バッテリを充電するために必要な時間量に関連付け、
前記コンピュータ可読命令が実行されたときに運動活動監視装置は、さらに、
前記バッテリ充電状態から抜け出た際に、前記運動活動監視装置によって前記バッテリの最終的な充電量を決定し、
前記最終的な充電量が前記満充電状態に対応するかどうかを決定し、
前記最終的な充電量が前記満充電状態に対応すると決定した際に、前記バッテリから出力された初期電圧値に対応する初期充電量から前記満充電状態まで前記バッテリを充電するための経過時間量を測定し、
前記測定された時間量によって前記ルックアップテーブルを更新する、
コンピュータ可読媒体。
【発明の詳細な説明】
【技術分野】
【０００１】
（関連出願の相互参照）
この出願は、２０１２年１月１９日出願の「電源管理」と題する米国特許仮出願第６１／５８８６４６号による優先権の利益を主張する。前記出願の内容はすべてこれにより参照によって援用される。
【０００２】
（技術分野）
ここに記載の態様は全体としてバッテリ及び／又は電源管理に関する。詳細には、態様は活動監視装置のためのバッテリおよび電源管理を提供する。
【背景技術】
【０００３】
（背景）
エクササイズやフィットネスはますます人気となっており、そうした活動からの利益は十分に知られている。様々な種類の技術がフィットネスや他の運動活動に採り入れられてきた。例えば、ＭＰ３または他のオーディオプレーヤ、ラジオ、携帯テレビ、ＤＶＤプレーヤまたは他のビデオ再生装置、腕時計、ＧＰＳシステム、万歩計、携帯電話、ページャ、ビーパなどといった、多種多様な携帯型電子装置がフィットネス活動において利用可能である。多くのフィットネス愛好者またはアスリートは、練習またはトレーニングをする時にこれらの装置のうちの１個以上を使用して、楽しくさせたり、運動動作データを記録し提示したり、他の者との接触を保つなどしている。
【０００４】
また技術の進歩により精巧な運動動作監視システムが提供されている。運動動作監視システムは、エクササイズおよびフィットネス活動に関係する多くの身体的または生理的特性の、または例えば速度および距離データ、高度データ、ＧＰＳデータ、心拍数、脈拍数、血圧データ、体温、費やした歩数その他を含む他の運動動作の、簡便な監視を可能にする。
【０００５】
特徴および利益の検討は、添付図面に関して進められる以下の詳細な説明において言及する。
【発明の概要】
【発明が解決しようとする課題】
【０００６】
（概要）
以下は、その態様の少なくとも一部の基本的理解をもたらすために種々の特徴の一般的概要を示す。この概要は本発明の包括的概要ではない。本発明の重要または肝要な要素を識別するか、または本発明の範囲を詳細に述べることも意図していない。以下の概要は、後に提示するより詳細な説明の前置きとして一般的な形式で本発明の一部の概念を単に示すにすぎない。
【０００７】
ここに記載の態様は、１つの例示的実施形態において電子データ記憶形式装置を有する運動動作監視・追跡装置であるウェアラブル装置を提供する。
【課題を解決するための手段】
【０００８】
本発明の１態様によれば、ウェアラブル保持具を有するアセンブリの一部としてＵＳＢ装置が使用される。加えて、保持具及び／又はＵＳＢ装置は、運動動作監視システム全体として運動動作を記録および監視するためにセンサと通信するコントローラを含み得る。ウェアラブル装置は様々な種類の情報をユーザに伝えるべく構成された照明機能を含み得る。
【０００９】
ここに記載の態様は、活動監視装置内で電力を管理することをさらに含む。例えば、態様は監視装置内でのバッテリの充電および放電に関連するとしてよい。
【００１０】
他の態様および特徴は開示全体を通じて記載される。
【００１１】
種々の態様を理解するために、以下に添付図面を参照して種々の態様を説明する。
【図面の簡単な説明】
【００１２】
【図１】本発明の１つの例示的実施形態において運動機能性を有するウェアラブル装置アセンブリを含む運動動作監視フィードバックシステムを利用している人の図である。
【図２】図１に示されたウェアラブル装置アセンブリの斜視図である。
【図２ａ】ウェアラブル装置アセンブリの別の実施形態である。
【図３】図２に示されるウェアラブル装置アセンブリの正面図である。
【図４】図２に示されるウェアラブル装置アセンブリの側面図である。
【図５】図２に示されるウェアラブル装置アセンブリの斜視図であり、内部構成要素を示すためにアセンブリの部分が透過的に示されている。
【図６】図４の線６−６に沿って得られるウェアラブル装置アセンブリの略断面図である。
【図７ａ】ウェアラブル装置アセンブリの背骨部材において使用されるバッテリ区画の斜視図である。
【図７ｂ】背骨部材の一部としてのバッテリ区画の斜視図である。
【図８ａ】背骨部材の前面斜視図である。
【図８ｂ】背骨部材の下面斜視図である。
【図９】ＵＳＢコネクタが取付けられている背骨部材の斜視図である。
【図１０ａ】ＵＳＢコネクタの図である。
【図１０ｂ】ＵＳＢコネクタの図である。
【図１０ｃ】ＵＳＢコネクタの図である。
【図１１ａ】ウェアラブル装置アセンブリで使用されるＵＳＢコネクタを用いた締結機構のための受け部材および他の構成要素の図である。
【図１１ｂ】ウェアラブル装置アセンブリで使用されるＵＳＢコネクタを用いた締結機構のための受け部材および他の構成要素の図である。
【図１１ｃ】ウェアラブル装置アセンブリで使用されるＵＳＢコネクタを用いた締結機構のための受け部材および他の構成要素の図である。
【図１１ｄ】ウェアラブル装置アセンブリで使用されるＵＳＢコネクタを用いた締結機構のための受け部材および他の構成要素の図である。
【図１１ｅ】ウェアラブル装置アセンブリで使用されるＵＳＢコネクタを用いた締結機構のための受け部材および他の構成要素の図である。
【図１１ｆ】ウェアラブル装置アセンブリで使用されるＵＳＢコネクタを用いた締結機構のための受け部材および他の構成要素の図である。
【図１２ａ】ウェアラブル装置アセンブリで使用されるスペーサ部材または拡張要素の図である。
【図１２ｂ】ウェアラブル装置アセンブリで使用されるスペーサ部材または拡張要素の図である。
【図１２ｃ】ウェアラブル装置アセンブリで使用されるスペーサ部材または拡張要素の図である。
【図１３】ウェアラブル装置アセンブリに取付けられたスペーサ部材の斜視図である。
【図１４】ここに記載のウェアラブル装置アセンブリのコントローラのフレキシブル回路部材の略平面図である。
【図１５】装置の特定の構成要素が取付けられた背骨部材の斜視図である。
【図１６】装置の特定の構成要素が取付けられた背骨部材の斜視図である。
【図１７】コントローラと関連する入力ボタンの拡大図である。
【図１８】図１７の入力ボタンの部分断面図である。
【図１９】バッテリ区画を示す外側部材が形成された背骨部材の斜視図である。
【図１９ａ】ポート開口を有するバッテリ区画の一部が示された装置の下面斜視図である。
【図２０】バッテリの接点を示す、バッテリおよびクロージャ部材の部分斜視図である。
【図２１ａ】ここに記載の１以上の態様による種々の背骨部材およびバッテリ構成を例示している。
【図２１ｂ】ここに記載の１以上の態様による種々の背骨部材およびバッテリ構成を例示している。
【図２１ｃ】ここに記載の１以上の態様による種々の背骨部材およびバッテリ構成を例示している。
【図２１ｄ】ここに記載の１以上の態様による種々の背骨部材およびバッテリ構成を例示している。
【図２２】ここに記載の態様に従ったバッテリ状態の検出および情報を管理するプロセスを例示している。
【図２３】ここに記載の１以上の態様に従ったバッテリ情報ルックアップテーブルを例示している。
【図２４】ここに記載の１以上の態様に従ったバッテリ駆動式装置の充電プロセスを例示している。
【図２５】ここに記載の１以上の態様に従ったバッテリ駆動式装置の放電プロセスを例示している。
【発明を実施するための形態】
【００１３】
（詳細な説明）
本発明の種々の例示実施形態の以下の説明において、この一部を成し、本発明の態様が実施され得る種々の例示装置、システムおよび環境が例証として示されている添付図面に言及する。部品、例示装置、システムおよび環境の他の特定の配列を利用することができ、本発明の範囲を逸脱しなければ構造的および機能的な修正を行い得ることを理解しなければならない。また、本発明の種々の例示特徴および要素を説明するために、用語「上」、「底」、「前」、「後」、「側」などがこの明細書において使用され得るが、これらの用語は便宜上、例えば図に示された例示配向に基づいて、ここで使用されている。この明細書におけるいずれも、この発明の範囲に該当するために構造の特定の３次元配向を要求するものとして解釈してはならない。（活動監視装置の一般的説明）
【００１４】
ここに記載の態様は、運動機能性を有するウェアラブル電子装置アセンブリといった活動監視装置を提供する。１つの例示的実施形態において、ウェアラブル電子運動装置アセンブリは、運動情報を着用者に伝える照明可能部分を備え得る。さらに、ウェアラブル電子運動装置は、別の装置と（直接または間接に）接続されるべく構成されたデータ伝送部分を含み得る。一実施例において、ウェアラブル電子運動装置は、データを送受信するために別の装置のＵＳＢポートに接続可能とし得るＵＳＢコネクタおよび記憶装置を含み得る。
【００１５】
一つの構成において、ウェアラブル電子運動装置は、ウェアラブル電子運動装置アセンブリの２つの端部を互いに固定するコネクタとしても機能するべく構成され得るＵＳＢ記憶装置を含み得る。ＵＳＢ装置は、１つの例示的実施形態においてリストバンドである保持具に接続される。
【００１６】
電子ウェアラブル装置アセンブリは、コントローラをその中に支持するハウジング部分をさらに含み得る。コントローラは、電源および回路といった関係する構成要素を有する。３軸加速度計を含む種々のセンサが、コントローラと動作可能に関係づけられ得る。ハウジングは構造的構成を有しており、ハウジングは耐水性だけでなく耐衝撃性でもある。
【００１７】
１以上の構成において、コントローラは装置の機能性を強化する特定の特徴を有するユーザインタフェースを利用できる。例えば、ウェアラブル電子運動装置アセンブリは、動作データが表示または別様にユーザに伝えられ得るインジケータシステムを含み得るディスプレイを含み得る。ディスプレイは、液晶画面、一連のＬＥＤライトから構成されるディスプレイ、ＬＥＤグラフィカルユーザインタフェースなどを含み得る。ディスプレイに表示されるデータは、内蔵の非取外し可能メモリまたは取外し可能なＵＳＢ記憶装置に保存され得る。さらに、ウェアラブル電子運動装置のＵＳＢ装置はコンピュータに接続することができ、動作データは以後の処理、表示およびレビューのために遠隔サイトまたは携帯装置に自動的にアップロードされ得る。また、装置の構成によって、ユーザがデータ転送操作を開始するよう促され得る。また、装置は他の携帯装置または遠隔ウェブサイトと一般的な無線通信を行うこともできる。
【００１８】
加えて、ウェアラブル運動装置は、ユーザの胸部（例えば胸部ストラップ）、ユーザの手首、ユーザの腕、ユーザの頭部、ユーザの足首または腿などを含め、ユーザの身体の様々な場所に装着できる。
【００１９】
１つの例示的実施形態において、ディスプレイはディスプレイおよびインジケータシステムを含み得る。インジケータシステムは、装置アセンブリを装着しているユーザの活動のレベルに対応する情報を表示できる。インジケータシステムは、情報を提示するために選択的に照明可能である複数のライト要素を含み得る。複数のライト要素の各々は複数の色で照明され得る。ディスプレイおよびインジケータシステムは、ユーザにインディシアを表示するために別個にまたは連係して動作できる。
【００２０】
追加的な例示的実施形態において、装置は様々なユーザに適応するために装置のサイズを調整できるスペーサ部材を含み得る。
【００２１】
さらに例示的実施形態において、装置は、強化された体験をユーザに提供するために携帯装置および遠隔ウェブサイトと相互作用することができる。
【００２２】
（活動監視装置の例示実施形態）
本発明の態様を全般的に上述したが、以下の詳細な説明では、図とともに、この発明の実施例に従った運動動作監視システムおよび方法のより詳細な実施例を示す。当然、当業者は、以下の説明が本発明の実施例の説明を構成することを理解するべきであるとともに、決して本発明を限定的に解釈してはならない。
【００２３】
図１は、運動機能性を有するウェアラブル装置アセンブリ１０を本発明の１つの例示的実施形態において含む運動動作監視フィードバックシステム１を利用している人を一般的に開示している。以下でさらに詳述するように、ウェアラブル装置アセンブリ１０は、３軸加速度計等のセンサを有しており、装置１０はユーザの運動活動または活動全体を監視できる。図１に示すように、運動動作監視フィードバックシステム１はまた、靴に保持または埋込まれたようなさらなるモジュールまたはセンサ２のほか、携帯装置３も含み得る。システム１はまた、必要に応じて、心拍数モニタを含め他の形式のセンサや装置も使用できると理解される。以下でさらに詳述するように、ウェアラブル装置１０を含むシステム１の種々の構成要素は、運動動作またはユーザ活動全体を記録および監視するために無線で互いに通信できる。さらに、運動動作または活動全体を記録および監視するためにウェアラブル装置１０だけを利用できることも理解される。運動動作データまたは活動全体は、以下に限らないが、速度、距離、費やした歩数、カロリーといったエネルギー消費、心拍数および汗の検知を含む、多様な種々のパラメータ、メトリクスまたは生理的特徴を含み得る。そのようなパラメータはまた、ユーザの活動に基づいてユーザが獲得した活動ポイント（例えば、ここでは時に「ＡＰ」とも称する）または通貨に関しても表現され得る。
【００２４】
靴型のセンサ２は、電源、磁気センサ素子、マイクロプロセッサ、メモリ、伝送システムおよび他の適格な電子装置を含む種々の電子構成要素を有するとしてよい。１つの例示的実施形態におけるセンサ２は、図１に示すようにユーザの靴に装着される。センサ２は、運動動作の他のパラメータの中でも速度および距離といったデータを記録するためにシステムの他の構成要素とともに使用される。センサ２は、米国特許公報第２００７／０００６４８９号、第２００７／００１１９１９号および第２００７／００２１２６９号に開示されたようなセンサとすることができる。これらの米国特許公報第は参照によって援用されこの一部となる。センサ２はまた、参照によって援用されこの一部となる米国特許公報第２０１０／００６３７７８号および第２０１０／００６３７７９号に開示されたような、ユーザに関係する追加的データを収集する力センサアレイの形態をとることもできよう。携帯装置は、スマートフォンまたは他の形式の携帯型ディスプレイ装置とすることができる。ウェアラブル装置アセンブリ１０はまた、衣類ベースのセンサまたは、ランニング競争または他の競技競争といったイベントに関係するセンサを含む、他の形式のセンサと相互作用および通信することができる。
【００２５】
図２〜６は、図１のウェアラブル装置アセンブリ１０の様々な図を示している。ウェアラブル装置アセンブリ１０は一般に、ハウジング１２、コントローラ１４、入力ボタン１６、ディスプレイ１８およびインジケータシステム２０を含む。コントローラ１４は電源、センサおよび関係する回路を含む種々の関係する構成要素を有し、及び／又は動作可能に接続されていると理解される。図２ａは大型インジケータシステム２０を有する代替装置１０を例示している。まず装置１０の構造について説明し、その後、装置の動作および、装置および関連システムによって提供される追加的なユーザ体験の説明を続ける。
【００２６】
ハウジング１２は、リストバンドといった着用可能バンドの形態であり、一般に、電源のための区画を有する内部背骨部材２２（図６〜９）、外ケース部材２４および締結機構２６またはラッチ部材２６を含む。特定の例示的実施形態において、ハウジング１２は、以下でさらに詳述する装置１０のサイズを調整するために１個以上のスペーサ部材２８を有し得る。
【００２７】
図２〜６に示すように、ウェアラブル装置アセンブリ１０は形状が環状または概ね円形であり、この例証的実施例においてユーザの手首に装着するべく構成されている。ウェアラブル装置アセンブリ１０は、本発明を逸脱しなければ、卵形、長円形、八角形、矩形などといった種々の他の形状で形成され得る。装置１０はまた、人に脱着可能に取付けられ得るクリップまたは他の装置に取付けられるか、または他の衣類に一体化されるべく構成され得る。ウェアラブル装置アセンブリ１０およびハウジング１２は、概ね平面の部分および、両側の丸めた、または面取りした縁端を含み得る。面取り縁端は、例示的実施形態においてハウジング１２の片側だけに含まれ得る。ハウジングの両端は、締結機構２６によって互いに結合されるべく構成されている。１以上の構成において、ウェアラブル装置アセンブリ１０のハウジング１２の外方または外部に面する側は滑らかなテクスチャーを含み得るのに対し、内部に面する側（例えば着用者の身体と接触する）は摩擦的特徴を含み得る。一実施例において、ウェアラブル装置アセンブリ１０の内部に面する側は、ユーザの手首または他の身体部分のまわりで摩擦を改善し、ずれを防ぐためにリブを付けてもよい。テクスチャーは内部側全体に均一であってもまたは不均一であってもよい。例えば、リブまたは他のテクスチャーは、ハウジングの両端に形成された締結機構からテクスチャーが離れて行くにつれて、より顕著にすることができる。他の構成において、テクスチャーはまた、ウェアラブル装置アセンブリ１４の外部側に付加してもよく、内部側は滑らかにしてもよい。テクスチャーの種々の組合せおよび構成が使用できる。さらに他の実施形態において、ハウジング１２は、装置１０の内径に汗吸収部材またはウィッキング要素を組込むことができる。
【００２８】
図７〜９に示すように、内部背骨部材２２は、ほぼ剛直な部分および特定の柔軟な部分または領域を有する部材である。詳述するように、背骨部材２２は一般にコントローラ１４の構成要素を支持する。背骨部材２２は種々の構成要素が取付けられているシャーシ部材とみなすことができる。背骨部材２２は、概ね曲線構成を有し、外面３０および内面３２を有する。背骨部材２２は、第１の末端部３６および第２の末端部３８に及ぶ中間部分３４を有する。中間部分３４は、中心部または中心部分４０ならびに第１の部分４２および第２の部分４４を有する。中間部分３４はさらに、中心部分４０の一端を第１の部分４２に接続する第１の柔軟領域４６または部材を有するとともに、中心部分４０の他方端を第２の部分４４に接続する第２の柔軟領域４８または部材を有する。柔軟領域４６、４８は、これらの領域での背骨部材２２の、さらには装置全体のより容易な屈曲をもたらすのに対し、第１の部分４２および第２の部分４４ならびに中心部４０は、剛直領域又はほぼ剛直な領域と考えられる。
【００２９】
例示的実施形態において、柔軟領域４６、４８は、柔軟ヒンジ領域と考えることができ、概ね凹形状の湾曲部分である。このように、柔軟領域は中心部またはベース部を有し、一対の部材がベース部から離れて拡張し、従って内方に湾曲した部分を画成する。湾曲部分は、柔軟領域４６、４８の柔軟特性を増強するために凹状構成のベースまたは中心部で薄くなった厚さを有する。このように、背骨部材２２はその長さ（例えば剛直な中心部および剛直な第１および第２の部分）に沿って一般的な厚さまたは第１の厚さを有するのに対し、柔軟領域は背骨部材２２およびハウジング１２全体の柔軟特性を助けるためにより小さい第２の厚さｔを有する。特に、柔軟領域のベース部分は、剛直な中心部および、第１および第２の剛直部分よりも小さい厚さを有する。以下で詳述するように、柔軟領域４６、４８は構成要素が中立軸に最も近くなるように背骨部材２２によって支持されるのを助け、装置１０をユーザの手首に付ける時またはユーザの手首から外す時など装置１０が曲げられる時に応力が最小限にされる。
【００３０】
図７〜９に示すように、中間部分３４の第１の部分４２は第１の凹部５０を有し、中間部分３４の第２の部分４４は第２の凹部５２を有する。これらの部分は曲線構成を有する。凹部５０、５２は、コントローラ１４に関係する電源を受入れるために必要な寸法にされている。図７ａおよび７ｂに示す例示的実施形態において、凹部５０、５２は初めに、チクソ成形金属部材５５といった金属筐体から形成される。１つの例示的実施形態においてチクソ成形部材が利用されるが、いずれかの鋳造金属部材、ダイキャスト部材またはいずれかの金属射出成形部材といった他の部材もまた使用できよう。金属キャップの形態の金属カバーまたはクロージャ部材もまた、電源用金属筐体を設けるために後述のように設けられる。単数または複数のバッテリ１４２のための金属筐体を形成することが望ましく、また、筐体は、完全なチャンバ−を形成しなくてもよいが、バッテリをほぼ包囲し得る対面金属部材を含み得ると理解される。チクソ成形区画が初期に形成され、背骨部材２２の残りの部分はチクソ成形区画の上に形成されると理解される。背骨部材の部分は、区画５０、５２の底部を画成するチクソ成形部材の上に形成される。区画５０、５２はさらに、後述するバッテリ端子または接点を受入れる一対の開口５９を有する。凹部５０、５２は大きさを、全般的に、または互いに変えることができる。従って、凹部５０、５２は、増大した容量を有するより大型の電源を収容するために増大した大きさを有し得る。そうした特徴は以下でさらに詳述する。
【００３１】
中間部分３４はさらに、以下でさらに述べるようにディスプレイ１８およびインジケータシステム２０と同様にコントローラ１４の他の構成要素を外面３０の近傍で支持する。背骨部材２２は、インジケータシステム２０を支持する面取り縁端を有し得る。背骨部材２２は、コントローラ構成要素を背骨部材２２に固定して取付けるために接着剤及びねじ締結具といった締結機構を受入れる特定の開口を有する。第１の末端部３６および第２の末端部３８は、締結機構２６およびオプションのスペーサ２８を支持する。
【００３２】
１つの例示的実施形態において、区画５０、５２の形成を助けるチクソ成形部材５５はマグネシウムで作られ、背骨部材２２の残りの部分は部材５５の上に形成されるポリプロピレン材料で作られる。バッテリエンクロージャと同様に背骨部材２２には他の材料が使用できると理解される。
【００３３】
図２、３、６および１９に示すように、外ケース部材２４は、背骨部材２２のまわりに配置され、コントローラ１４、ディスプレイ１８およびインジケータシステム２０を収容する。例示的実施形態において、外ケース部材２４は、以下でさらに詳述する射出成形プロセスで形成される熱可塑性エラストマー部材である。従って、外ケース部材２４は、環状形状を維持しつつ、復元力のある弾性を有する。外ケース部材２４は、概ねＲ形状の外面５６および概ね平面の内面５８を有し、装置１０の内径を画成する内側部分および装置１０の外径を画成する外側部分を有するとみなすことができる。外面５６は、ほとんど平面に見えるが、湾曲を形成するかなり大きい半径を有する。側端は外面よりも小さい半径を有し、面取り側端はさらに小さい半径を有する。
【００３４】
外ケース部材２４の各表面は、最小の断面寸法を維持しつつ、装置の種々の構成要素を収容する内容積を形成するために協働する。外ケース部材はさらに面取り側端６０を有する。インジケータシステム２０は面取り側端６０の近傍に配置される。ハウジング１２は必要に応じて各側端に面取り縁端を有してもよいと理解される。外ケース部材２４は、コントローラ１４との相互作用のための入力ボタンを収容するために開口６２を有する。外ケース部材２４は、ディスプレイ１８の視認に適応する第１の領域６４およびインジケータシステム２０の視認に適応する第２の領域６６を有する。第１の領域６４は、ディスプレイ１８によって投射されたインディシアが外ケース部材２４の第１の領域６４を通じて見ることができるような構造および寸法にされていると理解される。さらに、第２の領域６６は、インジケータシステム２０によって投射されたインディシアが外ケース部材２４の第２の領域６６を通じて見ることができるような構造および寸法にされていると理解される。
【００３５】
外ケース部材２４は暗い外観を与える顔料を含み得る。顔料の量は、外ケース部材２４によって収容された構成要素が見えないように制御される。しかし、ディスプレイ１８およびインジケータシステム２０が起動した時に、光は外ケース部材２４を容易に投射して視覚的に知覚できる。例えば、１つの例示的実施形態において、外ケース部材は、特定の百分率の顔料を伴う半透明熱可塑性エラストマーである。外ケース部材２４はさらに、概ね透明であるが、特定量の黒色着色材料によって付与された着色を有すると理解され得る。この構成において、外ケース部材２４内の内部構成要素は一般に見えないが、ディスプレイ１８及び／又はインジケータシステム２０が起動した時に、ライト部材は外ケース部材２４を通じてはっきり見える。このように、内部構成要素は肉眼によって見えないが、ディスプレイ及び／又はインジケータシステムは、起動した時に外ケース部材を通じて見ることができる。装置１０はさらに、ディスプレイおよびインジケータシステムの一方が常に見ることができ、ディスプレイおよびインジケータシステムの他方は起動時だけに見ることができるように構成できる。例えば、ディスプレイは時刻を示すために常に見ることができるのに対し、インジケータシステムは起動した時に見えるだけである。さらに、外ケース部材２４は、透明材料とするか、または多様な種々の顔料または複数の顔料を含んでもよいと理解される。装置１０がある種の用途または行事のために特定的に設計されていることを特定の色が指示してもよい。第１の領域６４および第２の領域６６は、透明であるように製作できる。例示的実施形態において、これらの領域はより濃い色に着色され、ディスプレイ１８およびインジケータシステム２０はそれを通して照明される。
【００３６】
代替的に、ディスプレイ１８およびインジケータシステム２０を見るために第１の領域６４および第２の領域６６に開口が設けられ得ることが理解される。外ケース部材２４の内面５８は、背骨部材２２によって支持される電源の位置の近傍に第１の開口６８および第２の開口７０を有する。第１の開口６８は締結具によって第１の開口６８の上に固定された第１のキャップ７２またはクロージャ部材によって覆われており、第２の開口７０は締結具によって第２の開口７０の上に固定された第２のキャップ７４またはクロージャ部材によって覆われている。第１のキャップ７２および第２のキャップ７４は、後述する電源用金属筐体を設けるために金属バッテリ区画５０、５２と協働するために金属材料から形成される。
【００３７】
外ケース部材２４は、多様なポリマー、プラスチックまたはゴム、熱可塑性エラストマー部材、熱可塑性ウレタン部材、液状シリコーン部材、ゴム複合材料および、他の成形用弾性部材及び／又は、ネオプレン、プラスチックといった合成物質、織物、金属及び／又はそれらの組合せを含む、多様な材料から構成され得る。１以上の実施例において、材料は熱可塑性ポリウレタン及び／又は熱可塑性ゴムを含み得る。使用される材料はまた、ウェアラブル装置アセンブリ１０によって形成されるループの大きさがアセンブリ１０を破断または破壊することなく拡大できるように、ある程度の柔軟性があってもよい。以下でさらに詳述するように、外ケース部材２４の接着を補助するために、背骨部材２２およびそれに支持された構成要素に接着促進剤を使用できる。背骨部材２２および外ケース部材２４は、以下で装置１０を形成するプロセスを説明する時に以下でさらに詳述する。
【００３８】
図６、１０および１１に示すように、締結機構２６またはラッチ部材２６は一般に第１の突出部材９０および第２の受け部材９２を含む。第１の突出部材９０はハウジング１２の第１の端部近傍に配置されており、第２の受け部材９２はハウジング１２の第２の端部近傍に配置されている。部材９０、９２は必要に応じてハウジング１２の反対端に配置し得ると理解される。第１の突出部材９０は、データ転送のための入出力部材９４を組込んでおり、例示的実施形態において、ほぼ剛直な本体９６を有するＵＳＢコネクタ９４の形態をしている。ＵＳＢコネクタ９４は、剛体９６の上面に埋込まれた複数のリード９８を含む。リード９８は、コントローラ１４と動作可能に接続されたコネクタを有する。図１０ｃに示すように、第１の突出部材９０はさらに、一般にＵＳＢリード９８の反対側の剛体９６の底面に配置された凹部１００を有する。底面凹部１００は係合面１０２を画成する。
【００３９】
図６および１１ａ〜ｆに示すように、第２の受け部材９２は、開口１０４を画成しており、旋回部材１０６を支持する。旋回部材１０６は、指状部１０８を有し、指状部１０８をラッチング位置に向けて付勢するばね１１０を含む。旋回部材はさらに、指状部１０８をラッチング位置から離して動かす押下可能ボタン１１２を含む。第２の受け部材９２はさらに、開口１０４の反対端に一対の突起部材１２０を有する。突起部材１２０は傾斜または湾曲したカム表面１２２を有する。溝１２４が突起部材１２０の長さに沿って画成されている。
【００４０】
さらに図１１ａ〜図１１ｆに示すように、第１の突出部材９０は、実施形態において背骨部材２２の一端に接続され得る第２の受け部材９２に受入れられる。当初、指状部１０８は旋回しラッチング位置から離れて付勢されている。指状部１０８が凹部１００に入ると、指状部１０８はばね１１０によって凹部１００にラッチング位置へ付勢される。装置１０はその際、閉位置にあり、指状部１０８は係合面１０２に当接して装置１０を閉じた環状構成に維持できる。例示的実施形態において、締結機構２６は従来のＵＳＢコネクタ９４を組込んでいるが、他の形式の通信用接続構成もまた使用できると理解される。例えば、装置１０は、マイクロＵＳＢコネクタ、Ｆｉｒｅｗｉｒｅポート、１６ピン穴または他の形式の物理的接触に基づく接続を利用することができ、または、例えばＷｉ−Ｆｉ、Ｂｌｕｅｔｏｏｔｈ、近距離場通信、ＲＦＩＤ、Ｂｌｕｅｔｏｏｔｈ  Ｌｏｗ  Ｅｎｅｒｇｙ、Ｚｉｇｂｅｅまたは他の無線通信技法のためのインタフェースといった無線または非接触通信インタフェースまたは、赤外線または他の光通信技法のためのインタフェースを含み得る。さらに、装置１０は、完全にＵＳＢコネクタ９４といったデータ転送部材と通信しデータ転送するか、または完全に無線通信によって、または無線通信および種々の形式のプラグイン通信両方の組合せによって通信しデータ転送するべく構成できると理解される。
【００４１】
図１０ａ〜１０ｃはＵＳＢコネクタ９４の追加的な図を開示している。ＵＳＢコネクタ９４は、動作可能性を維持しつつ、よりきれいな、より美的な構成をもたらす構造的特徴を有する。従来のＵＳＢコネクタにおいて、リードは不均一に離間され、形状が矩形であり、リードのそれぞれの端部は揃っていない。図１０ａに示すように、ＵＳＢコネクタ９４のリード９８は、剛体９６にわたってある距離で均一に離間されている。加えて、リード９８は剛体９６の上面１１４に関して凹設されている。加えて、剛体９６は均一に離間された丸い開口１１６を画成しており、そして開口１１６の端部は揃っている。リード９８は開口１１６によって露出している。リード９８が剛体９６の上面１１４に関して凹設されているので、各リード９８は、剛体９６の上面１１４の近傍に拡張する隆起リブ１１８を有する。例示的実施形態において、リード９８は金型に配置され、そこに材料がリード９８のまわりに射出成形されて、均一で整列した丸い開口１１６を有する剛体を形成する。当該構造は強化されたＵＳＢコネクタ９４をもたらす。
【００４２】
装置１０は円周寸法を変えることができ、装置１０は、例えばユーザの異なる手首寸法に適応するために大小のループ構成を画成できる。このために、ハウジング１２は、図１２〜１３に示すように、スペーサ部材２８または、拡張部材または要素２８を組込むことができる。単一のスペーサ部材２８用いることも、または複数のスペーサ部材２８用いることもでき、または全く使用しないこともでき、装置１０は単にハウジング１２の端部で接続されたラッチ機構を有することが理解される。スペーサ部材２８は、装置１０の円周寸法を増大するためにハウジング１２の一端および締結機構２６の受け部材９２の一端と協働する。スペーサ部材２８は本体１３０を有し、本体の一端には、締結機構２６の受け部材９２に配置された一対の突起部材１２０を受入れるために必要な寸法にされた一対の開口１３２を有する。本体１３０は開口１３２の近傍で回転爪１３４を支持する。回転爪１３４は、湾曲したカム表面１３５を有し、付勢ばね１３６を有する。回転爪１３４は、図１２ｂに図示の締結具およびカバープレートによって本体１３０に概ね中心位置で固定されている。回転爪１３４は一般に中心位置に関して回転可能である。本体１３０の他方端は、受け部材９２の突起部材１２０に類似のカム表面１３８を有する一対の突起部材１３７を支持する。
【００４３】
図１１ｆおよび１３から認識できるように、スペーサ部材２８を使用している場合、スペーサ部材２８の突起部材１３７はハウジング１２の端の開口に受入れられ固定される。ハウジング１２の端部は、そうした突起部材１３７を受入れるために対応する構造を有する。締結機構２６の受け部材９２の突起部材１２０は、スペーサ部材２８の本体１３０の一対の開口１３２に挿入される。このために、受け部材９２の傾斜カム表面１２２は回転爪１３４のカム表面１３５と係合し、回転爪１３４は回転して（明快さのためにカバープレートを取り除いた図１２ｃにおける矢線Ａ）、開口１３２への突起部材１２０のさらなる挿入を可能にする。突起部材１２０の溝１２４が回転爪１３４と整列すると、回転爪１３４の端は溝１２４に受入れられ、それによってスペーサ部材を締結機構２６の受け部材９２に固定する（図１１ｆおよび１３参照）。装置１０からスペーサ部材２８を取り除きたい場合、回転爪１３４を回転させるためにアクセス穴が設けられ得ることが理解される。複数のスペーサ要素２８がサイズを増大するために使用でき、またはスペーサ要素２８はサイズを縮小するために取り除くこともできると理解される。スペーサ部材２８の長さは変えることができ、場合によっては５〜１０ｍｍの範囲とすることができる。一実施例において、スペーサ要素２８の長さは各々８ｍｍとすることができる。別の実施例において、スペーサ部材２８の長さは６ｍｍとすることができる。さらに、拡張要素２８を使用しない場合、受け部材９２の突起部材１２０はそれに固定されるハウジング１２の端と協働することが理解される。例示的実施形態において、スペーサ要素２８は、本体の上に配置された熱可塑性部材を有するプラスチック本体といったハウジングと類似の構成を有し得る。突起部材１２０は本体への金属挿入物の一部としてもよい。特定の例示的実施形態において、スペーサ部材を利用できる装置１０の内径は、約１４７ｍｍから２２１ｍｍまで変えることができる。
【００４４】
装置１０はハウジング１２によって支持されたコントローラ１４を有する。コントローラ１４は一般に、当業において理解されている通り、回路、処理装置、データ保存メモリ、コネクタおよび他の既知の構成要素を含む、種々の構成要素を有するプリント回路基板１４０を含む。コントローラ１４はさらに、バッテリパック（複数も）またはバッテリ１４２の形態の電源１４２、アンテナアセンブリ１４４およびセンサアセンブリ１４６を含む。コントローラ１４はまた、可聴情報を伝達するためのスピーカといった他の構成要素を有し得る。
【００４５】
図１４はプリント回路基板（ＰＣＢ部材）１４０の概略図を示す。例示的実施形態において、ＰＣＢ部材１４０はフレキシブル回路部材である。ＰＣＢ部材は、そこに種々の構成要素を支持する種々の領域または部分を有する。ＰＣＢ部材はさらに中心領域１４０ａを有しており、ディスプレイ１８およびインジケータシステム２０はそれと動作可能に接続されている。ＰＣＢ部材はまた、背骨部材２２の柔軟領域４６、４８に位置が対応する屈曲領域１４０ｂを有する。ここに記載の他の構成要素もＰＣＢ部材１４０に接続されている。図１５および図１６に示すように、ＰＣＢ部材１４０は背骨部材２２に巻付けられて取付けられている。ＰＣＢ部材を背骨部材２２に固定して取付けるた
めに締結具が使用できる。ＰＣＢ部材の中心領域１４０ａは、接続された時に背骨部材２２の中心部３４に対応すると理解される。ＰＣＢ部材１４０は一般に、柔軟領域４６、４８の輪郭を含む背骨部材２２の輪郭に従う。このように、屈曲領域１４０ｂは背骨部材２２の柔軟領域４６、４８に、一般に面と面との係合で配置されている。この構成はＰＣＢ部材を中立軸の近傍に動かすのを可能にし、ＰＣＢ部材への応力は装置１０が曲げられた時に最小限になる。
【００４６】
上述の通り、ＰＣＢ部材１４０はコントローラ１４の種々の構成要素を支持する。例えば、ＰＣＢ部材１４０はアンテナアセンブリ１４４およびセンサアセンブリ１４６を支持する。ＰＣＢ部材はさらにデータ保存メモリ構成要素を支持する。データ保存メモリは、センサアセンブリからの入力を受取るとともに、ＵＳＢコネクタ９４からの入力も受取る。コントローラ１４によって保存されたデータはまた、ＵＳＢコネクタ９４によってコンピュータといった別の装置へ、さらにはコンピュータを介して遠隔サイトへも転送され得る。
【００４７】
ＰＣＢ部材１４０によって支持されたアンテナアセンブリ１４４は、他の携帯装置との通信を補助する。このように、装置１０は携帯装置と無線で通信でき、１つの例示的実施形態において、コントローラ１４はＢｌｕｅｔｏｏｔｈ無線通信を利用する。従って、コントローラ１４はＢｌｕｅｔｏｏｔｈ無線機を有し、アンテナアセンブリ１４４を利用してもよく、装置１０は携帯装置と無線で通信できる。装置１０はそうした無線通信のための他の必要な構成要素を備えていると理解される。そうした通信のさらなる実施例は以下でさらに詳述する。
【００４８】
上述の通り、ＰＣＢ部材１４０はそれにセンサアセンブリ１４６を支持している。センサアセンブリ１４６は複数の異なるセンサを含み得る。例示的実施形態において、センサアセンブリ１４６は３軸加速度計の形態で加速度計を含む。さらに詳述するように、センサ１４６は装置１０を装着しているユーザの活動に対応する動きを検出する。システム１及び／又はコントローラ１４はまた、必要に応じて、他のセンサを含み得ると理解される。例えば、ユーザによって利用されるシステム１は、装置１０と通信する靴型のセンサを利用できる。ユーザはまた、装置１０と通信できる衣類ベースのセンサを有し得る。さらに、センサアセンブリ１４６は心拍数センサを含み得ると理解される。心拍数センサは必要に応じて胸部装着センサとしてもよい。心拍数センサはまた、ユーザの手首の近傍で心拍数を検出するセンサといったように装置１０のハウジング１２に組込むこともできると理解される。ＧＰＳセンサといった他のセンサを利用することもできよう。また、追加的なセンサを装置１０に組込むことができる。１つの例示的実施形態において、センサはジャイロスコープセンサを含み得る。センサはマイクロエレクトロメカニカルシステム（ＭＥＭＳ）形ジャイロスコープ装置としてもよい。そうしたセンサは加速度計といった装置における他のセンサと協働して、強化された機能性および能力を提供するばかりでなく、感知したユーザの動きのさらなる識別をもたらし得る。
【００４９】
上述の通り、コントローラ１４はバッテリ１４２の形態で電源１４２を含む。単一のバッテリ１４２を設計において利用できると理解される。そうした設計によりフレキシブル回路部材は、装置１０に関係する追加的な構成要素を支持する追加的な領域を有することが可能になる。しかし例示的実施形態において、電源１４２は一対のバッテリ１４２を利用する。図６および図２０から認識できるように、バッテリ１４２は曲線または湾曲した構成を有し、概ね剛直部材である。バッテリ１４２は湾曲した平面の表面を画成する。例示的実施形態において、装置１０は一対のバッテリ１４２を利用する。第１のバッテリ１４２は背骨部材２２の第１の凹部５０に配置され、第２のバッテリ１４２は背骨部材２２の第２の凹部５２に配置されている。バッテリ１４２は凹部５０、５２の深さに概ね対応する厚さを有する。バッテリ１４２は一般に背骨部材２２の内面３２と面一である。バッテリ１４２は装置１０に電力を供給するためにコントローラ１４と動作可能に接続されていると理解される。
【００５０】
図２０に示すように、バッテリ１４２は関係する弾性ブーツ部材１４８を有する。ブーツ部材１４８は１対の丸い突起１４９を有し、バッテリ１４２のバッテリ接点１５０は丸い突起１４９の上に付着している。バッテリは凹部５０、５２に配置されており、接点１５０は区画５０、５２の開口５９を延びてＰＣＢ部材１４０と係合して装置１０に電力を供給する。キャップ７０、７４が背骨部材２２に締結された時に、丸い突起１４９および接点１５０はＰＣＢ部材１４０に弾力的に締付けられ、増強した導電性接続をもたらす。各バッテリ１４２が弾性ブーツ部材１４８を利用していると理解される。追加的な例示的実施形態において、導電性エポキシ部材がバッテリ接点を結合するために使用できる。バッテリ１４２およびそれぞれの凹部５０、５２の全体の大きさは、再充電を要求する前の装置のバッテリ容量および寿命を増大するためにより大きいものに変えることができる。剛直なバッテリ１４２が背骨部材２２のさらに剛直な第１の部分４２および剛直な第２の部分４４に装着されることは言うまでもない。背骨部材２２の柔軟領域４６、４８は、概ね柔軟なハウジング１２および装置１０をもたらすために部分４２、４４およびバッテリ１４２が柔軟領域４６、４８に関して蝶番式に旋回できるようにする。
【００５１】
図２〜６および図１６〜図１９に示すように、装置１０はその操作を助ける押下可能入力ボタン１６を含む。図１７および図１８から認識できるように、入力ボタン１６は、コントローラ１４と動作可能に接続されており、ディスプレイ１８に概ね隣接するハウジング１２によって支持されている。入力ボタン１６は、ハウジング１２の外ケース部材２４を通って延びる入力ボタン１６によってユーザがアクセス可能である。入力ボタン１６は、ツーショット射出成形プロセスによって共に一体に成形される剛直ベース部材７６および柔軟キャップ７８を有する。コントローラ１４と相互作用可能なタクトスイッチを支持するために入力ボタン１６によって内室７９が画成されている。剛直ベース部材７６は、第１のツール表面８２を画成する上部リング８０および、柔軟キャップ７８に隣接し第２のツール表面８６を画成する下部リング８４を有する。装置１０を形成するプロセスの間、第１のツール表面８２および第２のツール表面８６は、外ケース部材２４が背骨部材２２および支持構成要素のまわりで射出成形される時に、きつい面対面係合でツールと係合する。この係合は、入力ボタン１６が正しく動作するのを妨げる射出成形材料が入力ボタン１６の内室７９内に流入するのを防ぐ。入力ボタン１６による入力からもたらされる装置１０の動作は、以下でさらに詳述する。
【００５２】
図２および１５および１６に示すように、装置１０のディスプレイシステム１８またはディスプレイ１８は、ハウジング１２によって支持され、コントローラ１４と動作可能に接続されている。ディスプレイは装置１０またはハウジング１２の照明可能部分とみなすことができる。ディスプレイシステム１８は、例示的実施形態においてＬＥＤライト１５２といった一連の個別の照明要素またはライト部材を含み得る。ＬＥＤライトは、アレイで形成され、中心位置でＰＣＢ部材１４０と動作可能に接続され得る。ＬＥＤライト１５２は、単語、文字、数字、記号などが個別の離散的なＬＥＤライト１５２の種々の組合せを照明することによって生成され得るように配列されているとしてよい。例えば、ＬＥＤライト１５２は、指定数の行および列を有するマトリックス形態で配列され得る。ハウジング１２の外ケース部材２４はＬＥＤライト１５２を包囲し保護する。上述の通り、外ケース部材２４は第１の領域６４を有し（図１９）、ＬＥＤライト１５２の位置に対応しており、それによりＬＥＤライトが照明されると、光が外ケース部材２４を通して見える（代替実施形態において、第１の領域６４は透明またはほぼ透明にすることもできる）。第１の領域は個別２４の非透明または不透明部分によって包囲し、それによりＬＥＤライト１５２の各々からの照明が一緒に混合しないようにできる。ディスプレイシステム１８は、ウェアラブル装置アセンブリ１０の全周の一部だけに及ぶとしてよい。例えば、図２に示されたように、ディスプレイシステム１８は締結機構２６の反対側の装置１０の頂部または中心部を占める。ディスプレイシステム１８の大きさ（例えば、個別のＬＥＤライトの数、ライトの行および列の数、全体の幅または長さ）は、一度に表示されるデータの最大量、使用されるフォント及び／又は文字の大きさ、及び／又はそれらの組合せに基づいて決定され得る。一実施例において、ディスプレイシステム１８は５列２０個のＬＥＤライト１５２より構成され、各列はウェアラブル装置アセンブリ１０の長さにほぼ平行である。追加的または代替的に、全外周（例えば装置アセンブリ１４の外方に面する表面の）は１７４〜１８２ｍｍの範囲としてよい。また、ディスプレイ１８は、装置１０がＢｌｕｅｔｏｏｔｈ通信といった無線接続によって携帯装置と通信していることを指示するライト部材を含み得ると理解される。
【００５３】
また図２ならびに図１５および図１６に示すように、装置１０のインジケータシステム２０は、ハウジング１２によって支持され、コントローラ１４と動作可能に接続されている。また、インジケータシステム２０は、ディスプレイ１８全体の一部または構成要素とみなし得る。装置１０のディスプレイシステムは、第１のディスプレイおよび第２のディスプレイを有するとみなし得る。インジケータシステム２０はディスプレイ１８と連係動作し照明することができ、またはディスプレイ１８とは完全に別個に動作し照明することができると理解される。また、インジケータシステム２０は、複数の追加的な照明要素１６０またはライト部材１６０を含むことができ、それらもまた例示的実施形態においてＬＥＤライトの形態をとり得る。ライト部材１６０はコントローラ１４と動作可能に接続されＰＣＢ部材１４０によって支持される。インジケータシステム２０は一般にハウジング１２の側端に配置される。１つの特定の実施例において、インジケータシステム２０は一連の２０個の照明要素１６０を含み得る。任意で、照明要素４１はウェアラブル装置アセンブリ１０のハウジング１２の両側端に沿って並べることができる。照明要素１６０はまた、例示的実施形態において概ね線形構成で配置される。インジケータシステム２０の照明要素１６０は、ディスプレイシステム１８のＬＥＤライト１５２とは違った形で作ることができる。形状、大きさまたは他の外観属性の違いによりユーザは伝えられている情報の種類を識別できるようになる。照明要素１６０は、例えば、ウェアラブル装置アセンブリ１０のハウジング１２の面取り側端６０の１つ以上に沿って並び、ユーザによる視認の容易さを可能にする。ウェアラブル装置アセンブリ１４の側部または縁端が丸められる実施例では、照明要素１６０は、着用した時にライトが見えるように（例えば、装置１４が着用されるユーザの手首または他の身体部分とは反対に面する）丸くなった縁端の外側湾曲に配置され得る。ディスプレイ１８のライト１５２の構成と同様、外ケース部材２４は、インジケータシステム２０の照明要素１６０の位置に対応する位置にある第２の領域６６（図１９）を有する。インジケータシステム２０のライト部材から発射された光は、第２の領域６６の外ケース部材２４を通して見ることができる（代替実施形態において、第２の領域６４は透明またはほぼ透明とすることもできる）。１以上の構成において、照明要素１６０によって生成される照明の外観は、外ケース部材２４の対応する部分の寸法、形状、透明度および他の外観属性によって規定され得る。例えば、照明要素１６０は実際には円形（例えば丸形電球）であるが、外ケース部材２４の透明矩形領域を照明するために使用され、それによって矩形インジケータを生じることもできる（例えば図２ａ参照）。インジケータシステム２０の複数のライト１６０は、装置アセンブリ１０の円周の一部に延在することができる。一実施例において、インジケータシステム２０の複数のライト１６０は一般にディスプレイ１８の長さと同じ長さで延在する。インジケータシステム２０およびディスプレイ１８の種々の複数のライト間の間隔もまた同様としてよい。別の実施例において、ライト部材１６０は円周のほぼ半分にわたり延在することができ、他の実施例においてインジケータライト部材１６０は円周のほぼ３分の１にわたり延在し得る。さらに別の実施例において、ライト部材１６０はウェアラブル装置アセンブリ１０の円周の４分の３またはほぼ全体にわたり延在し得る。また、インジケータシステムを構成する複数のライト１６０を一緒にまとめて、インジケータシステムが異なる部分を有してもよいことも理解される。インジケータシステム２０の異なる部分は、以下でさらに詳述するように異なる構成で照明することができる。各々の照明要素１６０はまた、ディスプレイの別個の個別の部分とみなし得る。ディスプレイ１８およびインジケータシステム２０の構成から、ディスプレイ１８は第１の方向で光を発射でき、インジケータシステム２０は第２の方向２０で光を発射でき、第１の方向は第２の方向と異なることが理解される。１つの例示的実施形態において、第２の方向は一般に第１の方向と交差するとしてよい。また、ディスプレイのライト部材は照明可能特性を提供する他の種々の形態および構造を有し得ることも理解される。
【００５４】
図１〜６に示された装置１０を形成する際に種々のプロセスを利用できることが理解される。例示的実施形態において、背骨部材２２を形成するプロセスは初めにバッテリ区画の形成を含む。図７ａ、７ｂ、８ａおよび８ｂから認識できるように、金型が準備され、チクソ成形プロセスによってマグネシウムが金型に射出されてチクソ成形部材５５を形成する。マグネシウムチクソ成形部材５５は、金属バッテリキャップ７０、７４（図２）と協働してバッテリ１４２のための実質的に金属の筐体をもたらす。上述の通り、他の金属成形プロセスを使用できる。形成されると、チクソ成形部材５５は金型に配置され、背骨部材２２を形成するために材料が金型に射出される。材料はチクソ成形部材５５のまわりにオーバーモールド成形され、ある特定量の射出成形材料が部材５５の内部表面に広がる（図７〜８）。金型は、背骨部材２２のほぼ剛直な部分、背骨部材２２の柔軟領域４６、４８についての形態を組込むだけでなく、ここに述べたように装置１０の種々の構成要素を受入れ、取付け、または別様に支持するための他の構造を組込むべく設計されることが理解される。例示的実施形態において、背骨部材２２の残りの部分を形成するためにチクソ成形部材５５の上に射出成形される材料はポリプロピレンである。
【００５５】
背骨部材２２が形成されると、追加的な構成要素が背骨部材２２に接続される。例えば、背骨部材２２の一端は、ラッチ機構またはスペーサ要素のどちらか一方と協働する接続構造と接続され得る。さらに、上述の特徴を有するＵＳＢコネクタ９４が形成されることが理解される。図１０ａ〜１０ｃから認識できるように、例えばスタンピングプロセスによって隆起リブ１１８が形成されているＵＳＢリード９８が設けられる。リード９８は金型に配置され、プラスチック射出成形材料がリード９８のまわりに形成され、リード９８のまわりで剛体９６を形成する。金型は、丸い開口１１６が形成され、引き続きリード９８が等しく離間され垂直に整列するように設計されていると理解される。リード９８は丸い開口に凹設され、隆起リブ１１８は剛体９６の上面１１４の近傍まで拡張する。金型はまた、ＵＳＢコネクタ９４の剛体９６に凹部１００を形成するべく設計されている。形成されると、ＵＳＢコネクタ９４は背骨部材２２の端部と接続され、リードの端部がコントローラ（図９）と接続される準備ができる。
【００５６】
付属構成要素を備えた背骨部材２２はその後、金型に挿入でき、装置の内径部分がオーバーモールド成形される。熱可塑性エラストマー材料が金型に射出されてハウジング１２の内側部分を形成する。接着促進剤を用いることもでき、接着促進剤は熱可塑性エラストマー材料をオーバーモールド成形する前に背骨部材２２の内面に適用されると理解される。接着促進剤は背骨部材２２との熱可塑性エラストマー材料の結合を助け強化する。１つの例示的実施形態において、３Ｍ社が販売する「３Ｍ  Ｐｒｉｍｅｒ  ９４」が接着促進剤として使用される。また、金型は、バッテリ１４２を受入れる凹部５０、５２と連通している開口がハウジング１２の内側部分に設けられるように設計されることが理解される。
【００５７】
引き続き追加的な構成要素が背骨部材に取付けられる準備ができている。図１５および１６から認識できるように、コントローラ１４のＰＣＢ部材１４０は、必要な回路、他の電気構成要素、アンテナのほか、３軸加速度計を含む所要のセンサを備えて形成される。加えて、ディスプレイ１８およびインジケータシステム２０の構成要素もまたＰＣＢ部材１４０と接続される。さらに、入力ボタン１６がツーショット射出成形プロセスで形成され、剛直ベース部材は柔軟キャップ（図１７〜１８）と一体に接続されると理解される。入力ボタンもまたＰＣＢ部材１４０と接続される。ＰＣＢ部材１４０は背骨部材２２と接続される。ＰＣＢ部材１４０は背骨部材に巻付けられ、背骨部材２２の柔軟領域４６、４８を含め概ね面対面係合で背骨部材２２の輪郭に従う（図６、１５、１６）。ＰＣＢ部材１４０は背骨部材２２に固定して取付けられる。上述の通り、この構成は、より中立な軸を付与するのを助け、曲げによる応力が最小限にされる。ＵＳＢコネクタ９４のリードの端はまたＰＣＢ部材１４０にはんだ付けされる。バッテリ１４２はバッテリ区画に挿入される（図１９〜２０）。隆起接点がバッテリ区画５０、５２の開口５９の中に配置され、接点はプリント回路基板の受入れ接点と嵌合する。バッテリクロージャ部材はねじ締結具（図２）によって装置の内側部分に固定して取付けられ、バッテリ接点はＰＣＢ部材１４０と関係する嵌合接点に付勢される。
【００５８】
この中間アセンブリは引き続き、追加的なオーバーモールドプロセスのために追加的な金型に挿入される。金型は、熱可塑性エラストマー材料が入力ボタン１６の内側部分に移入するのを防ぐために入力ボタン１６の第１のリング表面８２および第２のリング表面８６と係合するツールを含む（図１７〜図１８）。熱可塑性エラストマー材料は金型に射出されて外ケース部材２４の形成を完了する。１つの例示的実施形態において、背骨部材２２はポート開口３８０を有するチューブ構造を含み、材料はチューブ構造を通じて射出されて外ケース部材２４の外側部分を形成する。図１９ａに示すように、ポート開口３８０は、バッテリ区画５２の斜面に設けられ、背骨部材２２を通じてチューブ構造と連通している。適格な金型部材に配置されると、射出成形材料はポート開口３８０を通じて射出され金型に流入して外ケース部材２４の外側部分を形成する。ポート開口３８０はバッテリ区画または背骨部材２２の他の位置のどちらにでも配置できると理解される。さらに、ポート開口３８０は複数のポート開口を含むこともできる。このように、背骨部材２２によって支持される種々の構成要素が外ケース部材２４に入れられる。熱可塑性エラストマー材料は入力ボタン１６の側面に流れ込み、それと係合し、材料のさらなる移動はツールによって防止される（図６参照）。オーバーモールド成形プロセスが完了すると、ラッチ機構の受け具部分およびいずれかの所要のスペーサ要素を取付けることができる（図２、３および１９）。そのような構成において、ハウジング１２は装置をユーザの手首に装着可能にするために容易に撓むことができると理解される。装置１０は背骨部材２２の柔軟領域４６、４８において屈曲し、バッテリ１４２が取付けられた剛直部分も一緒に動くと理解される。外ケース部材２４の弾力性は、背骨部材２２によって支持された構成要素を保護するために十分な構造を提供しつつ、そうした旋回を容易に可能にする。
【００５９】
装置１０は引き続き形成され、動作の準備ができる（図２）。動作および他のユーザ体験については以下で説明する。
【００６０】
本発明の装置１０は多数の代替的な構造および構成を有する。図２１ａ〜図２１ｄは、本発明の装置１０で使用できる背骨部材およびバッテリの代替実施形態の略側面図を図示している。類似の構造は類似の参照数字によって参照されるとしてよい。背骨部材２２ａは、剛直またはほぼ剛直な部分または領域４２ａ、４４ａとともに複数の柔軟領域４６ａ、４８ａを有する。図２１ａ〜図２１ｄは、背骨部材２２ａの細身部分の形態の柔軟領域を図示している。細身部分はより柔軟な領域に対応するとしてよく、背骨部材２２ａのより太い部分はより柔軟性がない領域または剛直領域に対応するとしてよい。背骨部材２２ａは柔軟領域に関してより容易に屈曲または蝶番式に旋回すると理解される。剛直領域４２ａ、４４ａは、回路板、照明システム、バッテリパックおよび他のエレクトロニクスアセンブリといった非可撓性構成要素を固定可能にするために柔軟ではないとしてよい。例えば、剛直領域４２ａ、４４ａは各々、バッテリパック１４２を含み得る。追加的または代替的に、剛直領域４２ａ、４４ａのうちの１つ以上は、運動情報を処理、保存及び／又は感知するための回路を含み得る。ディスプレイ構成要素は、バッテリを支持する剛直領域４２ａ、４４ａの間に概ね延在する追加的な中心剛直領域に配設できる。剛直領域４２ａ、４４ａは、少なくとも装置アセンブリ１０の所定の伸縮量を考慮するために限られた量の柔軟性を有するとしてよい。
【００６１】
さらに、図２１ａ〜図２１ｂから認識できるように、バッテリパック１４２の長さはバッテリ容量を増減するために調整できる。バッテリパック１４２の長さの変更のために、ディスプレイ構成要素、インジケータシステム構成要素または他のコントローラ構成要素の長さまたは他の寸法も影響を受けることがある。例えば、バッテリパック１４２の長さが増大した場合、ディスプレイの大きさ又はディスプレイは補償するために縮小され得る。同様に、図２１ｃ〜２１ｄにおいて、バッテリパック１４２の厚さはバッテリ容量および装置寿命を調整するために修正され得る。長さよりもむしろ装置の厚さを増大することによって、柔軟領域の大きさは、バッテリパック１４２の拡大がまったく装置アセンブリ１０に沿っていないことから、最大限にされ得る。しかし、厚さを増大することはまた、重量及び／又は装置円周を増大させ得る。バッテリ１４２および剛直な部分または領域４２ａ、４４ａは、再充電を必要とするまでに活動を記録し情報を表示する適格な能力を有する装置１０を提供するために協働的に寸法設定されるとしてよい。
【００６２】
（活動監視装置のための電源管理）
ここで検討するように、活動監視装置（例えばウェアラブル装置アセンブリ１０）は、１個以上のバッテリまたは他の形式の電源によって可搬式に給電され得る。活動監視装置は充電式バッテリを使用し得るので、バッテリ容量を最大化するとともに、正確なバッテリ容量情報を得ることが望ましい。例えば、残存バッテリ情報の正確さは、装置が活動セッション全体を通じて給電されるようにワークアウトを計画しユーザ予想を正しく管理できるユーザの能力を向上させ得る。追加的または代替的に、装置は残存バッテリ電力を最大化する種々のプロセスを含み得る。一実施例において、そうしたプロセスは活動追跡を非アクティブ化して電力を節約し、ユーザが装置でデータを見続けるのを可能にするとしてよい。さらにここで検討するように、非アクティブ化の優先順位は、１以上の機能または要素の第１の集合が１以上の機能または要素の第２の集合の前に非アクティブ化され、そして第２の集合は１以上の機能または要素の第３の集合が非アクティブ化される前に非アクティブ化される、そのように定義され得る。一実施例において、活動追跡装置（例えば加速度計、心拍数センサ、ＧＰＳセンサ、ジャイロスコープセンサ等）は、ＬＥＤのようなＵＩ要素または特定のＵＩディスプレイよりも高い優先順位がつけられ得る。従って、ＵＩ要素またはディスプレイは追跡装置の前に非アクティブ化され得る。
【００６３】
バッテリ容量はまた、時間とともに劣化され得る。従って、バッテリを完全に（または既定の量まで）充電または放電する時間の量の見積りは、静的充電／放電曲線または他の静的な既定の基準点に基づいて決定された場合、時間とともに不正確になり得る。代わりに、バッテリ充電・放電時間情報は、データがそうした情報の正確さを改善し維持するために動的に修正されるように更新され得る。一実施例において、バッテリ充電量は電圧測定値に基づいて計算され得る。その際、バッテリ充電を対応する電圧測定値と関係づけたテーブルが作成され得る。使用中、装置は生の電圧測定値および関係する既定の充電に基づき現在の充電量を決定できる。追加的または代替的に、装置はまたフィルタ処理した値も使用できる。フィルタ処理値は、生の電圧測定値の移動平均に対応するとしてよい。このフィルタ処理値は、一部の実施例において、単一の生の測定値を用いては正しく認識できないかもしれない電圧スパイクまたはアウトライアーを明らかにし得る。一部の構成において、フィルタ処理値は、直近の２、３、５、１０、１５または任意の他の数の生の測定値を平均し得る。
【００６４】
図２２は、装置状態の変化を管理するとともにバッテリ充電および充電時間を監視するために活動監視装置で使用できる電源管理プロセスを例示している。プロセスは、装置の電源投入時または、例えば装置が満充電に達した時または、ハードリセットまたはソフトリセットが生じた時といった他の既定の時機および事象に際して開始され得る。ステップ２２０５で、監視装置は、バッテリ充電フィルタが開始されたかどうかを決定し得る。フィルタは、生の測定されたバッテリ電圧値の前記移動平均といったフィルタ処理値を決定するべく構成されたアルゴリズムまたはプロセスであるとしてよい。フィルタが開始されていない（例えば移動平均を計算するべく動作していない）場合、装置はステップ２２１０で、装置が現在充電状態にあるかどうかを決定し得る。例えば装置は、装置の充電ユニットが現在アクティブであるかどうかを検出し得る。装置が現在充電中モードにある場合、装置は、それぞれステップ２２１５、２２２０および２２２５において、充電ユニットをオフにし、バッテリの電圧を読取り、その後充電ユニットを再びアクティブ化させ得る。正確な電圧の読取りは一般に装置が充電中は実行できないので、バッテリのより正確な電圧読取値が得られるように充電は一時的に停止され得る。代替的または追加的に、電圧読取値は、最後に測定された電圧（例えば生の値）および、電圧が最後に測定された時から経過した充電時間の量に基づいて推定され得る。さらに他の実施例において、電圧読取値は、最後に測定または最後に算定（例えば推定、平均、または別様に計算）された電圧と同等としてもよい。例えば、それが既定量の時間（例えば３０秒、１分、５分、１０分など）内に測定または別様に決定された場合、以前に算定された電圧を使用できる。バッテリ電圧値を決定する他の方法も同様に使用できる。
【００６５】
装置が現在充電中でなければ、電圧は、充電ユニット非アクティブ化／再アクティブ化プロセスを実行する必要なくステップ２２３０でバッテリから読取られ得る。放電状態中のバッテリ値の読取りは、一部の実施例において、ここで検討するように種々の制限を受けるとしてよい。バッテリの電圧が決定された後、フィルタはステップ２２３５でフィルタ値を計算することによって開始され得る。例えば、監視装置は、決定された電圧および、利用可能であれば１以上の以前の電圧読取り／決定に基づき現在のフィルタ値を計算し得る。上述の通り、フィルタ値は指定数の直近の電圧値の移動平均に対応し得る。
【００６６】
フィルタリングが開始されると、監視装置はステップ２２４０で、状態変化が装置内で生じたかどうかを決定し得る。装置の各種状態は、装置が充電されている充電状態、装置が電力を消費している放電状態、装置が機能性を全部の機能の指定サブセットに制限し得るスリープ状態、無線通信無効状態、活動追跡状態、非活動追跡状態などを含み得る。ユーザは追加的または代替的な状態を所望の通り定義できる。例えば、ユーザは新しい状態を定義し、新しく定義された状態にある間に所望の機能及び／又はハードウェア構成要素を有効または無効にするように指定できる。ユーザが特定のモードを有効または無効にした時に、状態変化が生じる及び／又は検出され得る。例えば、ユーザが監視装置を電力充電源に接続した場合、状態は放電状態から充電状態に自動的に変化するとしてよい。特定の実施例において、そうした状態変化は監視装置の充電ユニットが起動した時に検出され得る。
【００６７】
状態変化が検出された場合、監視装置はステップ２２４５で、状態変化が（例えば放電状態から）充電状態への移行に対応するかどうかをさらに評価し得る。そうであれば、ステップ２２５０で監視装置は、現在のバッテリ充電量から満充電状態まで装置バッテリを充電するために必要な時間量を決定し得る。監視装置はそのような決定を充電時間要求条件のテーブルに基づいて行い得る。例えば、電圧−充電％−満充電までの時間のテーブルが経験的に決定され定義できるとともに、（特定の充電％に対応する）特定の電圧から満充電状態まで装置が充電されるのに要求される時間の量を決定するためのベースラインとして使用できる。監視装置は満充電時間を決定するための基礎として最後に測定された電圧用いてもよい。他の実施例において、監視装置は、更新されたフィルタ処理値を計算するか、または満充電時間を決定するために直近に決定されたフィルタ処理値を使用し得る。
【００６８】
図２３は、２種類のバッテリ（例えば大型および小型）のバッテリ充電テーブルを例示している。テーブルは、コラム２３０１および２３０３において２種類のバッテリの電圧を指定するとともに、コラム２３０５で対応する充電百分率を指定している。従って、一実施例において、２８００ｍｖｓの電圧がバッテリから読取られた場合、装置はバッテリがテーブルに定義された対応に基づいて０％充電されていると決定し得る。別の実施例において、電圧読取値が小型バッテリ形式について３６９２である場合、装置はバッテリが１５％充電されていると決定し得る。電圧読取値がテーブルに指定された電圧値の間に該当する場合、最も近い、次の最も高い及び／又は次の最も低い電圧が充電％及び／又は充電時間を決定するために使用され得る。図２３に例示されたテーブルは、電圧レベル、充電量および充電時間の間の既定の関連の一例にすぎない。他のテーブル、データ構造、値及び／又は対応もまた、もっと多いか少ない形式のバッテリを含むものを含め定義し使用できる。
【００６９】
図２２に戻って、充電時間が計算されると、監視装置はステップ２２５５でさらにタイマを始動し得る。タイマは、充電の始まりと満充電完了（または指定の充電量に達した）との間で経過した実際の時間量を測定するべく構成され得る。タイマ測定値の使用は以下でさらに詳細に検討する。充電時間が計算され、タイマが始動すると、監視装置は状態変化を監視し続けるためにステップ２２４０に戻るとしてよい。
【００７０】
状態変化が（例えば充電状態から）放電状態への場合、監視装置はステップ２２６０でタイマを停止し経過時間の量を決定し得る。監視装置は引き続きステップ２２６５で、バッテリが満充電にされたかどうかを決定し得る。そうであれば、装置は算定された経過時間量に基づいてステップ２２７０で電圧充電テーブルを更新または再調整し得る。例えば、初期電圧読取値（充電の開始時の）に対応する充電時間値は、算定された経過時間量を反映するべく更新され得る。１以上の構成によれば、電圧充電テーブルはバッテリが満充電にされた時に更新されるだけとしてよい。他の実施例では、電圧充電テーブルはたとえバッテリが満充電にされていない場合でも更新され得る。
【００７１】
電圧充電テーブルの更新は、他の電圧レベルの充電時間を更新または別様に修正することなく、（例えばタイマが始動した時の）初期充電電圧の対応する充電時間の更新を含むだけとしてよい。しかし他の実施例において、装置は、必要な時間量を適宜、内挿または外挿することによって１以上の他の電圧レベルの電圧充電テーブルを更新し得る。特定の実施例において、充電テーブルで定義された充電時間は、“ｃｈａｒｇｅ＿ｔｉｍｅ＝ａ＊ｖｏｌｔａｇｅ＿ｌｅｖｅｌ２＋ｂ”といった数式によって定義される充電曲線に当てはめられ得る。係数ａは一定に保たれ得るのに対し、係数ｂの新しい値が開始電圧レベルおよび実際の経過時間（例えば充電時間）に基づいて計算され得る。ｂの新しい算定値を用いると、他の電圧レベルは修正された充電時間曲線／公式を用いて再計算され得る。他の実施例において、充電曲線の全体または一部を当てはめる公式は、既定の時間（例えば２ヵ月ごと、６ヵ月ごと、１年ごと等）、事象（例えば装置のハードリセットまたはソフトリセット、ファームウェア及び／又はソフトウェアの更新等）、またはユーザ命令に際して再計算され得る。すなわち、曲線の傾きを含む曲線公式は、更新された電圧−充電時間値を考慮して変化し得る。さらに他の実施例において、充電曲線の特定の部分（例えば６０％以下から１００％充電まで充電するための充電値）だけが再計算／調整され得る。
【００７２】
他の構成において、新しい充電時間値は、複数の既定の充電時間テーブルから異なる充電時間テーブルを選択することによって決定され得る。例えば、複数の充電時間テーブルは、バッテリの寿命にわたる種々の経過時間について経験的に生成され得る。特定の実施例において、第１の充電時間テーブルは６ヵ月使用のバッテリについて開発され得るのに対し、第２の充電時間テーブルは１２ヵ月使用のバッテリについて開発され得る。追加的な充電時間テーブルを必要に応じてまたは所望の通り他のバッテリ年齢について定義できる。開始電圧レベルの実際の充電時間を決定した時点で、装置は、一致または最近似一致の充電時間−電圧レベル関係を反映している複数の充電時間テーブルのうちの１つを識別し選択できる。例えば、３７１８の開始電圧が全容量まで充電するために８０分必要とする場合、装置は、３７１８の電圧読取値について８０分の充電時間を示す充電テーブルを識別できる。８０分の正確な一致が３７１８ｍｖｓのテーブルのいずれにも指定されていない場合、装置は複数のテーブルの中で最近似一致のテーブル（例えば３７１８の電圧読取値について７９分）を選択し得る。選択されたテーブルはその後、さらなる更新が実行されるまで全部の電圧レベルに使用できる。
【００７３】
充電時間を更新した後、監視装置は状態の変化を監視し続けるためにステップ２２４０に戻ってもよい。
【００７４】
監視装置が状態変化を検出しない場合、装置は充電または放電状態で動作し続け得る。従って、装置が現在充電状態にあると決定した場合（ステップ２２７５）、装置は図２４に示した例示プロセスへ進み得る。代替的に、装置が放電状態で動作していると決定した場合（ステップ２２８０）、装置は図２５に示したように例示プロセスを実行し得る。充電および放電状態動作に関するさらなる詳細は以下でさらに詳述する。
【００７５】
図２４は、ウェアラブル装置アセンブリ１０といった活動監視装置が充電中に実行され得るプロセスを記載している。例えば、装置は、充電が進行している間（例えば充電が開始された時に初期読取を行う以外）バッテリから読取を行うことなく更新されたバッテリ充電情報を供給し得る。バッテリからの読取の数を低減または削除することによって、充電は読取が要求されるたびに停止され再スタートする必要がない。従って、ステップ２４００で、装置は、更新されたバッテリ電圧読取値を決定し得る。更新されたバッテリ電圧の決定は種々の方法に従って実行され得る。一実施例において、装置は、充電が開始された時に読取られた生のバッテリ値または決定されたフィルタ処理値に基づいて更新バッテリ電圧を決定できる。代替的または追加的に、装置は、充電が開始される前に読取られるかまたは決定された直近の生のまたはフィルタ処理したバッテリ電圧値を使用できる。装置はさらに、充電が開始されてから経過した時間の量を例えばタイマを用いて決定し得る。開始バッテリ電圧および経過時間を用いると、装置は、ここに述べたように既定の電圧−充電テーブル（例えば図２３に図示のテーブル）を用いて現在のバッテリ電圧および対応する充電量（例えば充電された百分率）を決定し得る。このように、装置は、現在のバッテリ充電量を決定または推定するためにバッテリから情報（例えば電圧）を読取る必要がない。
【００７６】
ステップ２４０５で、装置は引き続き、決定された現在のバッテリ電圧値が直近のフィルタ処理した電圧値未満かどうかを比較し決定し得る。直近のフィルタ処理した電圧値は、現在の算定バッテリ電圧値にならないかもしれない。例えば、移動平均は現在の算定バッテリ値を含まないかもしれない。代替的に、直近のフィルタ処理した電圧値は現在の算定バッテリ電圧値を含むように更新され得る（例えば移動平均が現在の算定バッテリ値を含む）。現在のバッテリ電圧値が直近に算定されたフィルタ処理した電圧・BR>L未満である場合、装置は、ステップ２４００で決定されたバッテリ値を用いるのではなく、ステップ２４１０で現在のバッテリ電圧値を直近のフィルタ処理値に設定し得る。ステップ２４０５および２４１０は、充電量が充電状態の開始前の充電レベルから増加するように示されることを保証するために実行され得る。一部の構成において、ステップ２４０５および２４１０は、単一の時機、例えば装置が最初に充電状態に入った時に実行されるだけかもしれない。装置は引き続き、その後ステップ２４００から２４１５へ移行してよい。
【００７７】
ステップ２４１５において、現在のフィルタ処理値は現在の算定バッテリ値で更新され得る。現在のバッテリ電圧が直近のフィルタ処理した電圧値未満である場合（例えばステップ２４０５および２４１０）、フィルタ処理値は不変のままであり得る。代替的に、フィルタ処理値は充電状態の間使用されなくてもよい。従って、決定された更新バッテリ電圧読取値（例えば推定バッテリ電圧）は、充電レベル表示を更新する値として使用できる。図２４のプロセスは周期的または非周期的に実行され得る。例えばプロセスは、図２５に関して述べるようにタイマに従ってトリガされ得る。
【００７８】
充電中、充電テーブルから決定される対応する充電％は、装置で、または充電用装置（例えば電源アダプタまたはコンピュータ）等で表示され得る。一部の実施例において、充電％は、充電が完了したことを充電ユニット（例えば集積回路）が示した時に１００％に達するだけかもしれない。充電ユニットは充電完了を指示していないが経過時間が１００％充電に対応する場合、装置はやはり、充電ユニットが完了を示すまで９９％（または次の最近似百分率）を表示するだけとしてよい。一部の構成において、バッテリ充電レベルは、バッテリの輪郭線で満杯量として例示される。従って、バッテリ表示は、充電ユニットが充電完了を示した時に完全に塗りつぶしになるだけとしてよい。
【００７９】
代替的または追加的に、表示は、経過時間が満充電に対応し、かつ充電ユニットが完了を反映するその両方まで、１００％充電を反映しないとしてよい。従って、たとえバッテリが満充電になったことを充電ユニットが示しても、表示は、１００％充電に対応する経過時間量に達するまで１００％充電を示さないとしてよい。
【００８０】
装置が放電状態（例えば充電状態以外）にある場合、装置は、図２５に記載の通り電源管理／バッテリ監視状態を実行し得る。例えば、ステップ２５００で、装置は監視タイマが満了したかどうかを決定し得る。監視タイマは、充電タイマとは異なってもよく、バッテリ電圧読取値の更新をトリガするために使用され得る。タイマが満了した場合、装置はステップ２５１０に進み、以下でさらに述べるようにバッテリ値読取を更新してよい。しかし、監視が満了していない場合、装置はステップ２５０５で、バッテリ値の手動更新が要求されているかどうか（例えばユーザ入力）を決定し得る。手動更新が要求されていなければ、装置はまたステップ２２４０（図２２）に戻り、タイマの満了もしくは手動更新または状態変化を監視し続けてもよい。
【００８１】
放電状態中にバッテリ値を読取るための監視タイマ（例えばサンプリング間隔）は、種々の値に設定され得る。例えば、装置は、２分ごと、５分ごと、１０分ごと、１５分ごと、３０分ごとなどにバッテリ値を読取るように設定され得る（例えばサンプリング間隔は累進的に長くなってもよい（最初は１分、その後２分、その後５分、スリープ（サンプリングなし）など）。サンプリング間隔は一部の例示構成においてユーザ設定可能であるとしてよい。一部の実施例において、サンプリングは既定のタイマに基づいて実行されなくてもよい。例えば、装置が現在、ユーザ入力（例えばボタン押下、タッチ入力）を受取る、無線通信、表示がアクティブなどといった高負荷状態にある場合、装置はサンプリングを実行しなくてもよい。代わりに、装置は各事象に基づいて失われる充電量を推定し得る。従って、各々のボタン押下は０．２％の充電損失に対応し、アクティブ表示の毎分は０．７５％の充電損失に対応し得る。無線通信は毎分０．１％の充電損失に対応し得る。装置はまた、高負荷状態がバッテリ値のサンプリング以前に終了した後、既定量の時間（例えば３０秒、１分、３分、５分、１０分等）待機するとしてよい。
【００８２】
ステップ２５１０で、装置はバッテリ電圧を読取り、監視タイマをリセットまたは始動し得る。ステップ２５１５で、装置は読取ったバッテリ電圧値が現在のフィルタ値より大きいかどうかを決定し得る。ここで検討したように、現在のフィルタ値は現在読取ったバッテリ電圧値を含んでも含まなくてもよい。読取ったバッテリ電圧値が現在のフィルタ処理値よりも大きい場合、装置はステップ２５２０で代わりに読取ったバッテリ電圧値を現在のフィルタ処理値に設定し得る。ステップ２５１５および２５２０のプロセスは、残存バッテリ電力が過大報告されず装置が予想外にバッテリ電力が切れないように、残存バッテリ充電量が過小評価されることを保証するために使用され得る。
【００８３】
ステップ２５２５で、現在のフィルタ処理値は現在の算定バッテリ値で更新され得る。現在のバッテリ電圧が直近のフィルタ処理した電圧値よりも大きい場合、フィルタ処理値は不変のままであり得る。装置は引き続き図２２のステップ２２４０に戻るとしてよい。
【００８４】
一部の態様によれば、バッテリ電力を最大化するために、活動監視装置は、様々な残存電力レベルでアクティブ化される電力プロフィールを定義し得る。一実施例において、バッテリが第１の残存バッテリレベル（例えば２５％、３０％、３３％、３５％等）に達した場合、バッテリ低下インジケータが表示または別様に伝達され得る。第２の残存バッテリレベル（例えば１０％、１５％、１７％、２０％等）において、装置は充電インジケータ（例えばプラグインアイコン）を表示するだけでなく、実行された活動量を計算する（例えば費やした歩数、消費カロリー、獲得した活動ポイント）といった１以上の活動監視プロセスを非アクティブ化し得る。非アクティブ化優先順位は、データ追跡要素およびプロセスを非アクティブ化する前にＵＩ機能及び／又はハードウェアを非アクティブ化するといったように定義され得る。そうしたプロセスを非アクティブ化することにより装置は、そうでなければプロセッサによって使用される電力を節約できる。第３の残存バッテリレベル（例えば１０％未満、７％未満、５％未満など）において、装置は深スリープモードに入るとしてよい。深スリープモードは、種々の活動監視プロセスの非アクティブ化に加えて含め、１以上の活動センサの非アクティブ化、ユーザ入力割込みの非アクティブ化及び／又は１以上のディスプレイの無効を含み得る。一部の構成において、非アクティブ化され得るのは全部のセンサではなく（例えば使用するのに最も多くの電力を必要とするもの）、他のセンサはアクティブ化したままにされる。さらに他の実施例において、装置が複数のディスプレイを含む場合、非アクティブ化され得るのは全部のディスプレイではないとしてよい。特定の実施例において、最少の電力量を必要とするディスプレイは有効にされ続けるとしてよい。一部の構成によれば、深スリープモードを出るには、装置は電源に接続されることによって充電状態に入ることを要求され得る。
【００８５】
種々のレベルについて無効または有効にされる種々の機能およびハードウェアは、ユーザ設定可能としてよい。さらに、電源管理レベルの数もまた所望の通りまたは必要に応じてユーザによって定義され得る。ユーザはその際、種々のレベルの各々について無効または有効にされることになる装置の機能を定義できる。
【００８６】
ここに述べたように、装置は２個のバッテリを含み得る。１つの例示実施形態において、装置は、例えば汎用パラレル入出力（ＧＰＩＯ）ピンまたは装置もしくはソフトウェアによって、単数または複数のバッテリが正しく接続されていることを確認し得る。しかし、装置はＧＰＩＯ能力を含まなくてもよい。
【００８７】
例示実施形態において、装置は、単数または複数のバッテリの内部抵抗を測定することによって単数または複数のバッテリの接続を確認するとしてよい（それらのバッテリは直列、並列またはその組合せで接続され得る）。例えばそうした内部抵抗は、バッテリが高負荷の下にある間にバッテリ電圧ディップを検査することによって測定され得る。それを行う手順は、（ｉ）装置のディスプレイをオフ（すなわち低負荷状態）にし、その負荷の下でバッテリ測定値を得る、（ｉｉ）ディスプレイをオン（すなわち選定した高負荷または最高負荷状態）にし、その負荷の下でバッテリ測定値を得る、（ｉｉｉ）高負荷状態と低負荷状態との間の電圧ディップを計算する。バッテリの工場設置中、この手順は、システムに１個のバッテリが取付けられている間に実施されるとともに、２個のバッテリが取付けられた時に再び実施されるとしてよい。２個のバッテリが取付けられた時により多くの電力が回路によって供給され得るので、電圧ディップはより少なくなる傾向がある。
【００８８】
一部の構成において、ソフトウェア管理を殆ど又は全く要求せず、そして単純かつ安価な構成要素で具体化され得る電源管理システムを装置に提供することが望ましい。そのような電源管理システムは、以下の機能性を提供し得る。
ａ．利用可能な時にはＵＳＢ電力に自動的に切り替える（すなわちソフトウェア制御はまったく必要ない）。
ｂ．ＵＳＢ電力が利用可能な時にはバッテリ充電を自動的に開始する（すなわちソフトウェア制御はまったく必要ない）。
ｃ．統合バッテリＰＣＭを有し、例えばバッテリに指定されたスペースにより多くのバッテリを可能にする。
ｄ．バッテリの“ラッチアップ”効果をサポートし（例えば保管および輸送のために）、システムはシャットダウンされるか、別に、バッテリから電流がまったく、またはほとんどまったく引出されないか、所定の最小限の電流が引き出されるような状態に置かれる（例えば、それによりユーザが最初に装置を受取り使用する時にバッテリは死んでいない）。
ｅ．ＵＳＢ電力が利用可能な時にはバッテリを自動的にラッチ解除する。それによって、ＵＳＢが利用可能な時にはバッテリ引出しを最小限または削除する。
【００８９】
１以上の実施例において、装置または活動追跡システムは２個のバッテリ（例えばリチウムポリマー電池）を並列で使用でき、ＰＣＭ回路は装置またはシステムに完全に取り取付けられるまでバッテリが保護されたパックではないように主回路内に設計されている。ＰＣＭは、過充電、過放電、充電中の過電流および放電中の過電流から保護する。特定の実施例において、充電電流は０．７Ｃであり、放電電流は０．０１Ｃないし平均２Ｃである。
【００９０】
追加的または代替的に、装置またはシステムは、予想装置寿命に基づいてバッテリ寿命を最適化するべく構成され得る。一部の消費者向け電子装置は１２〜２４ヵ月の耐用寿命を有すると想定されている。時間によりバッテリの性能は耐用寿命期間内で劣化する。１構成において、装置の耐用寿命は１８ヵ月が目標とされ得る。この特定の例示構成において、充電の「高使用量」想定は２７４充電サイクル、すなわち１８ヵ月にわたり２日ごとにバッテリを充電することに基づいてもよい。この特定の例示構成において、バッテリ設計は以下の目標を満たすように指定され得る。例えば、装置が目標とされる１８ヵ月の耐用寿命を満たすことを保証するとともに、おそらく実際の寿命は（ユーザにとって意味のある）ある程度、そうした耐用寿命を越えて延長できる。実例を示すと、延長に対しては、すなわち「高使用量」事例の下で、３００、５００以上の充電／放電サイクルまで挑まれ得る。
【００９１】
装置バッテリについて（初期容量に基づき）保持されるバッテリ容量の一例は、次のように指定できる。
【表１】
0006469043.tif 000002
【００９２】
指摘したように、装置は、卵形／ブレスレットの形態をしている人間着用可能装置とすることができ、バッテリに割り当てられるスペースの容積もまたこの湾曲または径方向輪郭をしていなければならない。従って、装置は湾曲輪郭の１個以上の機能性バッテリを含むとしてよい。湾曲輪郭バッテリは冷間成形プロセスを用いて製造でき、バッテリはローラー／コンベヤシステムへ動的に供給されホイール／マンドレル上で成形されて湾曲形状をもたらす。別の実施例において、そうしたバッテリは熱間成形プロセスを用いて成形でき、平らなバッテリ電池がキャビティに置かれた後、バッテリをキャビティに押しつけることによって熱間成形され、湾曲輪郭を得る。
【００９３】
一部の態様において、データは、例えば検索および再構成のために、ストレージ要求条件及び／又はバッテリ消費を低減するために圧縮様態で保存され得る。一実施例において、測定基準（カロリー、歩数、ＥＥＰ、時間その他）サンプルデータの圧縮バイナリストレージが、例えば外部アプリケーション（モバイル、ウェブ等）における検索および再構成のためのメモリパーティションに関して使用できる。特定の実施例において、圧縮ストレージはフラッシュメモリパーティションに関するとしてよい。そうしたものは、例えば指定の外部シリアルフラッシュメモリパーティションとして具体化され得る。
【００９４】
ストレージプロトコル／システムは以下のうちの１以上を提供し得る。
−ページレベル（２５６バイトサイズ）の完全性
−測定基準の生成を時間にわたり正確に記述するために十分な分解能
−パーティションに保存された他の形態のデータから区別可能
−バージョニング耐性：フォーマットへの変更は例えば最小限の影響でリーダによって検出され得る
−弾力性：データ完全性は頑強に保存される；データの破損が認識可能
−各サンプルに関して選定量のメタデータ（特に限定または最小の量のメタデータ）をサポートできる
−セッションの開始および終了を記述できる（例えば一般に真夜中から真夜中まで）
【００９５】
ストレージフォーマットまたは構造は、ヘッダ（クラスＩＤおよびペイロードのサイズ）を備え、ＣＲＣが後続するＣＲＣマーカで終端しているページサイズのデータエンベロープを含むとしてよい。ＣＲＣマーカは、例えば消費者によって読取られる時にデータ妥当性検証のセカンダリポイントである。データエンベロープの内部に各種マーカがあり、あるものにはデータが後続しており、それらのマーカは以下の１以上を含み得る。
サンプルが新しいセッションに該当するポイントを記述するセッション開始マーカ
サンプルが以降のセッションに該当するポイントを記述するセッション終了マーカ
サンプルデータおよびメタデータを含むサンプルマーカ。
【００９６】
実施例において、サンプルマーカは以下の特性を有し得る。
−フォーマットバージョン番号（例えば消費アプリケーションとの互換性を決定するための）
−サンプルＩＤ（例えば１６ビット）
−ＵＴＣ時間タイムスタンプ（例えば３２ビット）
−ＥＥＰオフセット（例えば１６ビット）
−カロリーオフセット（例えば１６ビット）
−ステップオフセット（例えば１６ビット）
−距離オフセット（例えば１６ビット）
−アクティブ時間オフセット（例えば１６ビット）
【００９７】
ページ／エンベロープがフラッシュへのセーブの前に充填されるまで待機することによって、フラッシュアクセスの頻度は効果的に低減され得る。すなわち、エンベロープが充填された時か、または特定のコンテキスト変化時（リセットまたはブートローダへの変更のように）に、ページ／エンベロープはセーブされる必要があるだけだからである。それはまたＣＲＣの決定ロケーションを付与する。エンベロープがフラッシュに保存されると、書込みポインタアドレスはＲＡＭに維持され、電力状態変化、メモリのハイウォーターマーク、ＵＳＢ状態変化または、要求に際して不揮発性ストレージにセーブされ得る。初期化時に、アプリケーションは継続使用のためにこのアドレスをＲＡＭに読込む。特定のメモリオフセットから要求された装置からデータが読み込まれた時に、そのオフセットが外部フラッシュ内の書込みサンプルストレージの境界内にある場合、データは、それが書込みポインタアドレスに達する点まで、外部フラッシュから返される。追加的データは、それが充填されている通りエンベロープから、ＲＡＭから引出される。ＣＲＣは外部フラッシュへの書込みの直前に付加されるにすぎない。
【００９８】
上述のプロセスは、ここで検討したように複数のバッテリを有する活動監視装置において使用できる。例えば、各バッテリの充電量は別個に計算され一緒に加えられて全体の充電量を示す。代替的または追加的に、別個の充電量および値がバッテリの各々について別個に報告され得る。
【００９９】
さらに、上述の電源管理プロセスは、多様な装置において使用でき、運動活動監視装置に限定されない。例えば、携帯メディア装置、移動通信装置などといった他の携帯型装置のためのバッテリは、バッテリ寿命を最大にし、正確なバッテリ状態情報を提供するために類似の電源管理および充電方法を使用できる。
【０１００】
＜結論＞
本発明を実施する現に好ましい様態を含む特定の実施例に関して本発明を説明したが、当業者は、上述のシステムおよび方法の多数の変種および置換が存在することを十分に認識するであろう。例えば、本発明の種々の態様は異なる組合せで使用でき、本発明の態様の種々の異なる部分組合せは、本発明を逸脱しなければ単一のシステムまたは方法において一緒に用いることができる。一実施例において、ここに記載のソフトウェアおよびアプリケーションは、コンピュータ可読媒体に保存されたコンピュータ可読命令として実施できる。また、上述の種々の要素、構成要素及び／又は工程は、変更、順序の変更、省略ができ、及び／又はこの発明を逸脱しなければ付加的な要素、構成要素及び／又は工程を追加できる。このように、本発明は添付の特許請求の範囲において述べる通り広範に解釈しなければならない。
【図１】
0006469043.tif 000003
【図２】
0006469043.tif 000004
【図２ａ】
0006469043.tif 000005
【図３】
0006469043.tif 000006
【図４】
0006469043.tif 000007
【図５】
0006469043.tif 000008
【図６】
0006469043.tif 000009
【図７ａ】
0006469043.tif 000010
【図７ｂ】
0006469043.tif 000011
【図８ａ】
0006469043.tif 000012
【図８ｂ】
0006469043.tif 000013
【図９】
0006469043.tif 000014
【図１０ａ】
0006469043.tif 000015
【図１０ｂ】
0006469043.tif 000016
【図１０ｃ】
0006469043.tif 000017
【図１１ａ】
0006469043.tif 000018
【図１１ｂ】
0006469043.tif 000019
【図１１ｃ】
0006469043.tif 000020
【図１１ｄ】
0006469043.tif 000021
【図１１ｅ】
0006469043.tif 000022
【図１１ｆ】
0006469043.tif 000023
【図１２ａ】
0006469043.tif 000024
【図１２ｂ】
0006469043.tif 000025
【図１２ｃ】
0006469043.tif 000026
【図１３】
0006469043.tif 000027
【図１４】
0006469043.tif 000028
【図１５】
0006469043.tif 000029
【図１６】
0006469043.tif 000030
【図１７】
0006469043.tif 000031
【図１８】
0006469043.tif 000032
【図１９】
0006469043.tif 000033
【図１９ａ】
0006469043.tif 000034
【図２０】
0006469043.tif 000035
【図２１ａ】
0006469043.tif 000036
【図２１ｂ】
0006469043.tif 000037
【図２１ｃ】
0006469043.tif 000038
【図２１ｄ】
0006469043.tif 000039
【図２２】
0006469043.tif 000040
【図２３】
0006469043.tif 000041
【図２４】
0006469043.tif 000042
【図２５】
0006469043.tif 000043